(57)【要約】【課題】  ホースをドレン排出口に対して大きな力で外嵌させる場合であっても、スリーブの大径部を受け入れる大径の突条部に耐変形性を持たせることによりその形状を維持することができるドレンホースを提供すること。【解決手段】  ポリオレフィン系樹脂を膨出成形した管本体１の管端に柔軟質素材製のスリーブ３を内装させて使用するドレンホースであって、前記スリーブ３は、ドレン排出口Ｄに外嵌させる筒状の胴部３０と、軸方向に所要幅を持って該胴部３０から径方向外方に突出した大径部３３を備え、前記管本体１は、スリーブ３の胴部３０を受け入れる筒状部１３と、スリーブ３の大径部３３を受け入れる軸方向に所要幅を持たせた突条部１７を備え、該突条部１７は軸方向へ延びる複数本のリブ６を備えている構成としたこと。【選択図】        図１
2006183696.tif 000002
【特許請求の範囲】
【請求項１】
ポリオレフィン系樹脂を膨出成形した管本体(1)の管端に柔軟質素材製のスリーブ(3)を内装させて使用するドレンホースであって、
前記スリーブ(3)は、ドレン排出口(D)に外嵌させる筒状の胴部(30)と、軸方向に所要幅を持って該胴部(30)から径方向外方に突出した大径部(33)を備え、
前記管本体(1)は、スリーブ(3)の胴部(30)を受け入れる筒状部(13)と、スリーブ(3)の大径部(33)を受け入れる軸方向に所要幅を持たせた突条部(17)を備え、
該突条部(17)は軸方向へ延びる複数本のリブ(6)を備えていることを特徴とするドレンホース。
【請求項２】
前記リブ(6)は、径方向内方に凹入する形状であることを特徴とする請求項１に記載のドレンホース。
【請求項３】
前記管本体(1)の突条部(17)の形成箇所から管奥側の筒状部(13)に径方向内方に凹入する環状突起(19)を形成してある請求項１又は２に記載のドレンホース。
【発明の詳細な説明】
【技術分野】
【０００１】
本発明は、主として空調装置のドレン排出口に接続して使用するためのドレンホースに関するものである。
【背景技術】
【０００２】
この種のドレンホースの構造は、可撓性を持たせるために環状突条の蛇腹状構造とした管本体と、その外周面を断熱保護するための断熱層とによって形成されている。また、管本体は、ほぼ例外なくポリ塩化ビニール（ＰＶＣ）樹脂材によって形成されていた。断熱保護層は発泡樹脂素材によって筒状部に形成されていた。この断熱層を形成する一つの手段として、発泡合成樹脂材を所要幅の帯状に裁断してこれを長手方向に沿って筒状に丸めながらその両側縁どうしを熱溶着や接着剤によって繋ぎ合わせて断熱被覆層用の筒体を形成すること、この筒体に前記の管本体を挿入しまたは圧入することによって管本体の外周に断熱層を形成する技術については、本出願人において既に提案済みである。（特開２０００−２８０８２号公報）
【０００３】
このような構造としたドレンホースは、管本体のほぼ全体を環状突条の蛇腹管状としてあるので管本体自体が可撓性を備えていることから曲げ配管が可能であるため便利に使用されてきた。しかしながら、前記のように、管本体がＰＶＣ樹脂によって形成されていたので、廃棄処分時に、燃焼させるとダイオキシンのような有害ガスを発生し、埋立て処分であっても長期に亙って有害物質を地中に浸透させるという公害上のおそれから、ＰＶＣの使用を廃し、公害のおそれの少ない樹脂素材としてポリエチレン（ＰＥ）樹脂やポリプロピレン（ＰＰ）樹脂のようなポリオレフィン系樹脂素材を用いて管本体を形成することが試みられた。
【０００４】
ところが、種々の実験を繰り返した結果、前記ポリオレフィン系樹脂で形成した管本体は、弾力性に乏しく、ＰＶＣ樹脂に比して経時劣化が進み易いという課題を有することを確認するに至った。即ち、殊に、空調用機器のドレン排出口に外嵌させた管本体の開口筒部は、ドレン排出口に対する把握挟着力に乏しく、使用中に経時劣化して挟着力が緩んで漏水するおそれがあり、また、機器の修理や移動のために一度引き抜くと再度差し込んでも密着させることが困難で、機器の狭い空間箇所で外側から粘着テープを巻き付けて漏水防止を行うか、他の新品ホースと取り替えなければならないという課題を有することを確認するに至った。
【０００５】
そこで、塩素系樹脂素材の利用を廃し、非塩素系樹脂素材を利用するものであり、その素材として、弾性力に乏しく、ドレン排出口への挟持保持力に乏しいポリオレフィン系樹脂素材で管本体を形成しつつ、この接続筒状部に別途柔軟質素材で形成したスリーブを軸線方向の移動ができるように内装させ、このスリーブの構造を一端側に大径部を備えている構成とし、特開２００１−２８９３８６号公報に見られるように、内面に傾斜突条を備えている構成としたり、特開２００１−５０４３６号公報に見られるように、他端側の内面に外窄まりの傾斜突条を備えている構成としたりして、スリーブをドレン排出口に対して強固に挟圧連結してホースの抜け移動を確実に阻止することができるドレンホースの開発が進められた。
【特許文献１】特開２０００−２８０８２号公報
【特許文献２】特開２００１−２８９３８６号公報
【特許文献３】特開２００１−５０４３６号公報
【発明の開示】
【発明が解決しようとする課題】
【０００６】
これらは何れも、柔軟質素材製のスリーブの把握挟着力を利用して、外周面が平滑であるドレン排出口に対して、ホースの管本体の接続筒状部に内装されたスリーブを挟圧連結する構成であるが、他方では、図１３に示すように、開口端の外周面に突起Ｐ´が形成されたドレン排出口Ｄ´に対して、内周面５２から環状の係合突出部５５が径方向内方に突出成形されたスリーブ５０を管本体４０の接続筒状部４３に内装させたホースＨ´を外嵌連結し、スリーブ５０の係合突出部５５とドレン排出口Ｄ´の突起Ｐ´を係合させてホースＨ´の抜け移動をより確実に阻止する構成も考案されている。
【０００７】
しかしながら、ドレン排出口Ｄ´に突起Ｐ´を形成して径大部分を形成したために、ホースＨ´をドレン排出口Ｄ´に対して外嵌させるのに大きな力が必要であり、ホースＨ´をドレン排出口Ｄ´に対して外嵌させるに際して、ホースＨ´の管本体４０の接続筒状部４３に大きな変形圧力がかかり、殊に、管本体４０を膨出成形法で成形している場合には、径方向外方に突出している突条部４７の形成壁は薄肉になり、加えて、スリーブ５０の大径部５３が軸方向に広幅に形成されて、これを受け入れるホースＨ´の管本体４０の突条部４７も軸方向に広幅に形成されている場合には、ホースＨ´の管本体４０の突条部４７が軸方向に圧縮変形しやすくなるという問題を発見するに至った。
【０００８】
そこで、本発明は、ホースをドレン排出口に対して大きな力で外嵌させる場合であっても、スリーブの大径部を受け入れる大径の突条部に耐変形性を持たせることによりその形状を維持することができるドレンホースを提供するものである。
【課題を解決するための手段】
【０００９】
この課題を解決するために講じた本発明の構成を、実施例を示す図面に使用した符号を用いて説明すると、本発明は、ポリオレフィン系樹脂を膨出成形した管本体１の管端に柔軟質素材製のスリーブ３を内装させて使用するドレンホースであって、前記スリーブ３は、ドレン排出口Ｄに外嵌させる筒状の胴部３０と、軸方向に所要幅を持って該胴部３０から径方向外方に突出した大径部３３を備え、前記管本体１は、スリーブ３の胴部３０を受け入れる筒状部１３と、スリーブ３の大径部３３を受け入れる軸方向に所要幅を持たせた突条部１７を備え、該突条部１７は軸方向へ延びる複数本のリブ６を備えている構成としたものである。
【発明の効果】
【００１０】
本発明にいうドレンホースは、管本体を膨出成形法により成形していて、径方向外方に突出した突条部の形成壁は周囲の管形成壁と比較して薄肉であり、また、ホースに内装させるスリーブが軸方向に所要幅を持って突出させた大径部を備え、該大径部を受け入れるホースの管本体の突条部も軸方向に所要幅を持っているために、該突条部が軸方向に圧縮変形しやすい構成であったが、該突条部に軸方向へ延びるリブを形成したことから、管本体の突条部において軸方向の力に対する強度が増し、ホースの管本体をドレン排出口に過大な力で外嵌させる場合でも、ホースの管本体の突条部が軸方向に圧縮変形することを抑制して管本体の形態を維持することができるようになった。その結果、水密性、気密性を保ちながら、スリーブを介した管本体とドレン排出口との安定した接続状態を実現するとともに、ホースの商品としての信頼性を高めることができるに至った。
【発明を実施するための最良の形態】
【００１１】
本発明を実施するにあたって、突条部１５に形成された軸方向へ延びる複数のリブ６について、その形成本数は、２本でも、３本でも、４本でも、あるいはそれ以上であってもよく、また、その形状は、側面視で半円弧状のもののほか、略コの字形や略Ｕ字形や略Ｖ字形その他適宜の形状で実施することができ、限定されるものではないが、径方向内方に凹入する形状で実施すると、スリーブ３を内装させた管本体１をドレン排出口Ｄに接続したときに、図１１に示すように軸方向へ延びるリブ６の凹入底部とスリーブ３の大径部３３を密接させて、ホースＨの周方向の回転を抑制してより安定した接続状態を実現することができる。
【００１２】
また、管本体１の突条部１７の形成箇所から管奥側の筒状部１３に径方向内方に凹入する環状突起１９を形成してある構成で実施すると、この箇所が補強されることにより、ドレン排出口ＤにホースＨの管本体１を外嵌させるときにこの箇所が変形したり、腰折れしたりすることを防止できるものでありながら、ドレン排出口ＤにドレンホースＨを外嵌したときに環状突起１９がスリーブ３の胴部３０に圧接することにより、ドレンホースＨとドレン排出口Ｄの接続部の止水性を担保することができる。
【００１３】
管本体１は、その長手方向の他端側に、前記筒状部１３に内嵌する外径をもった接続用筒状部１２を備えているものとすることができ、前記筒状部１３のみ、または該筒状部１３と他端側の接続用筒状部１２とを除くほぼ全長に亙って、径方向外方に突出する環状突条１１…を形成した可撓性管として実施することができる。
【００１４】
また、管本体１の外周面を覆うように筒状の合成樹脂製断熱層２が備えつけられている構成とし、該断熱層２を構成する合成樹脂素材として、水の浸透を防ぎ断熱効果を高め得る素材として独立気泡の発泡体を用いることが望ましい。また、断熱層２の外周面を、合成樹脂膜状の外皮層によって覆ってあるものとして実施することができる。更には、また、この発泡体の表面若しくは発泡体に被せた表皮層の外表面には、ホースの屈曲配管箇所において生じる皺や折曲げ襞が目立たないようにするために、シボ加工や微小な凹凸模様２２を施してあるものとして実施することができる。このように形成された発泡合成樹脂シート素材を帯状に裁断して長手方向の側縁部２１どうしを繋ぎ合わせて筒状に形成したものとして実施することができる。
【実施例】
【００１５】
以下、本発明の実施例を図示例と共に説明する。図１乃至図１１は本願発明のドレンホースの第１実施例を示す図であって、図１は接続後のホースの状態を示す上半部縦断正面図、図２はスリーブを内装させる前の状態の要部を示す上半部縦断正面図、図３は図２のホースの突条部側からの側面図、図４はスリーブの斜視図、図５はスリーブのフランジ側の側面図、図６及び図７はスリーブの小形変形作用を示すフランジ側の側面図、図８はドレン排出口へ接続前の状態の要部を示す上半部縦断正面図、図９はドレン排出口へ接続途中の状態の要部を示す上半部縦断正面図、図１０はドレン排出口へ接続後の状態の要部を示す上半部縦断正面図、図１１は図１０のＡ−Ａ線断面図を示す。
【００１６】
図１及び図２に示すように、該第１実施例のドレンホースＨは、空調機器のドレン排出口Ｄに接続される空調用ドレンホースＨであって、管本体１と、管本体１の外周面を覆う断熱層２と、管本体１の管端に内装されたスリーブ３との３部材からなっている。管本体１は、周知のブロー成形法により、ポリエチレン樹脂で全体を無継ぎ目状の筒状に形成してあり、スリーブ３を内装させて空調機器のドレン排出口Ｄに外嵌連結するための筒状部１３を一端側に備え、他端側に同じく筒状の接続用筒状部１２を備えている。そして、これらの両筒状部１２、１３間が、径方向外方に突出する環状突条１１をほぼ全長に亘って形成してある構造としてあり、全体として可撓性を備えた管体としてある。
【００１７】
而して、空調機器への取り付け側の筒状部１３は、空調機器のドレン排出口Ｄの外径よりも大径に形成してあり、その開口端１４近くに径方向外方に向かって突出して空間ａを形成し、軸方向に所要幅Ｗ２を有する環状の突条部１７を形成してある。管本体１はブロー成形により成形しているため、径方向外方に突出した突条部１７の形成壁は周囲の管形成壁と比較して薄肉であるが、図３に示すように、この突条部１７に等間隔に４箇所、側面視で径方向内方に凹入する半円弧状の形状で、かつ、突条部１７の軸方向全体に及ぶ長さで、軸方向へ延びるリブ６を形成することにより、後述する径大の突起Ｐを備えたドレン排出口Ｄへの外嵌接続時に、突条部１７が軸方向に圧縮変形しないようにしてある。この突条部１７により形成される空間ａは、後述するように、スリーブ３の軸方向に所要幅Ｗ１を有する大径部３３を受け入れることができることに加えて、ドレンホースＨをドレン排出口Ｄに接続時に、スリーブ３の係合突出部３５の形成箇所の胴部３０を径方向外方に膨張変位させることができる構成となっている。
【００１８】
そして、ドレンホースＨの突条部１７からやや管奥側の位置には径方向内方に凹入する環状突起１９を２箇所形成してあり、２箇所の環状突起１９のうち、管奥側のものを管端側のものよりも突出幅を大きく形成することにより、後述するように、ドレン排出口ＤにドレンホースＨを外嵌したときに、ドレン排出口Ｄの突起Ｐの先端側から奥側に向かって漸次径が大きくなる箇所の傾斜側面に沿って挟着するスリーブ３に対して、それぞれの環状突起１９が圧着できるようにしてある。
【００１９】
図４及び図５に示すように、スリーブ３は、ゴムのような弾性力に富んだ素材やＴＰＥ、ＴＰＲのような熱可塑性エラストマーなどの非塩素系樹脂素材等によって形成してある短筒状の胴部３０を備え、その一端側に外周面３２側から径方向外側に突出する大径部３３を備えていて、図２に示すように、該大径部３３の軸方向における形成範囲内に、その内周面３１側から径方向内方に突出する係合突出部３５を形成してある。該係合突出部３５は、開口端１４側からは３段階の段差、内奥側からは１段階の段差の構造としてある。
【００２０】
大径部３３の外周面には、径方向内方に向って凹入する軸方向へ延びる溝であって、側面視で開口部が外開き状のコの字型の凹入部３４ａが、大径部３３の軸方向全体に及ぶ長さで、かつ、その凹入底部３７が前記胴部３０の外周面３２とほぼ一致する凹溝の深さで形成されている。また、凹入部３４ａから左右周方向およそ７０°角位相位置にそれぞれ、径方向内方に向って凹入する軸方向へ延びる溝であって、側面視半円弧状の凹入部３４ｂ、凹入部３４ｃが、大径部３３の軸方向全体に及ぶ長さで形成されている。この凹入部３４ａは、凹入部３４ｂ及び凹入部３４ｃと比べて、凹溝の深さ及び凹溝幅がともに大きく形成されている。
【００２１】
なお、スリーブ３の大径部３３の軸方向の幅Ｗ１と、管本体１の突条部１７の軸方向の幅Ｗ２は、大径部３３を突条部１７に内装しやすくするために、Ｗ２＞Ｗ１の関係で形成してある。また、スリーブ３の大径部３３の外径をＲ１、管本体１の突条部１７のリブ６の形成箇所以外の部分の内径をＲ２とすると、係合突出部３５及び大径部３３の形成箇所の胴部３０が径方向外方に変位できるように、Ｒ２＞Ｒ１の関係で形成してあり、かつ、スリーブ３を管本体１の筒状部１３に内装させたときに、スリーブ３の大径部３３の外周面にリブ６の凹入底部が接するように形成してある。
【００２２】
而して、該スリーブ３に形成されている大径部３３は、ホースＨの管本体１に内装されて管本体１における空間ａを形成する突条部１７に嵌合するものであるため、管本体１の開口端１４よりも大径に形成されており、径方向外方に幅のある通常の大径部では空間ａ内に嵌め込ませることができない。しかしながら、本発明にいう大径部３３には、径方向内方に向って凹入する凹入部３４ａ，３４ｂ，３４ｃを形成してあるので、図６に示したように、先ずこの凹入部３４ａ上を矢印で示した求心方向に圧入し、引き続いて図７に示したように、両側方向からも求心方向に圧縮させ、凹入部３４ａから繋がる大径部３３の外周面３２ａ,３２ｂ同士を当接させて、凹入部３４ａの形成箇所をハート型の陥入部３６ａとして、凹入部３４ｂ，３４ｃの形成箇所をハート型の２箇所の頂部３６ｂ，３６ｃとして、大径部３３を含むスリーブ３の全体を略ハート型に小さく変形させることができるものである。
【００２３】
なお、凹入部３４ａの凹溝の深さ及び凹溝幅は、凹入部３４ｂ及び凹入部３４ｃと比べて大きく形成されているだけでなく、凹入部３４ａ上を求心方向に圧入し、両側方向からも求心方向に圧縮させたときに、例えば図１２の参考図に示すように、凹入部３４ａの側溝３８ａ，３８ｂ又は開口縁３９ａ，３９ｂ同士が衝突して両側方向から求心方向に圧縮させるのに大きな抵抗となるような状態を回避して、図７に示すように、伸張した薄肉の凹入底部３７に凹入部３４ａの側溝３８ａ，３８ｂを対向させて、凹入部３４ａから繋がる大径部３３の外周面３２ａ,３２ｂ同士を当接させる状態を実現するために、凹入部３４ａ自体が十分な凹溝の深さ及び凹溝幅で形成されている。
【００２４】
このようにスリーブ３を小変形状態とすることにより、管本体１に対して、その開口端１４から挿入することができる。而して、スリーブ３は、図８に見られるように、スリーブ３の胴部３３を管本体１の筒状部１３に、その大径部３３を管本体１の突条部１７によって形成された空間ａに、それぞれ内装させて用いる。
【００２５】
前記断熱層２は、独立気泡の発泡樹脂シート素材を所要幅に裁断した帯状素材を用いて、その長手方向の側縁部２１，２１どうしを加熱溶融させて接当させて繋ぎ合わせることによって筒状に形成したものである。
【００２６】
図１の上部に示した断熱層２の外周面に形成してある環状溝２３は、断熱層２の曲げを容易にするためのものである。このようにして筒状に形成した断熱層２に、その開口端から前記の管本体１を押し込んで、図１に見られるように二重筒にしてある。
【００２７】
この実施例に示した断熱層２は、図１の上部に示したように、断熱層２の外表面に微細な凹凸模様２２を形成してある。この模様２２は、断熱筒体を作る帯状とした発泡樹脂素材を、表面に適宜の凹凸模様を形成してある加熱押圧ロール間を通過させることによって模様付けしておくことができる。このように、断熱層２の表面に模様付けをしておくことによって、ホースの梱包状態時や曲げ配管時において、ホースの曲げ縮小側に生じる皺や折り曲げ襞が目立たないようにすることができ、ホース全体の美観を保持させることができるようにしてある。尚、図示は省略したが、断熱層２は、当該断熱素材の耐候性を強化し経年劣化を防止する目的で、例えば厚さ１００μｍ程度のＰＥ樹脂フィルムを加熱加圧接着させた外皮層を形成してある素材を用いることによって、外皮層を有する断熱層２として実施することができる。
【００２８】
このような構造とした本実施例のドレンホースＨは、図８に示したように、空調機器における内部機器の壁面Ｆから突出させてあるドレン排出口Ｄに対して外嵌圧入することにより接続する。このドレン排出口Ｄには、先端から奥側に向かって漸次径が大きくなった後に径方向内方に絞り込まれた形状の突起Ｐを形成してある。そして、図９に示すように、接続にあたって、ドレン排出口Ｄの突起Ｐがスリーブ３の係合突出部３５のうち最内側に突出した部分を通過時に、この部分にドレン排出口Ｄの突起Ｐによって径方向外方に押し広げる力が作用すると、環状突起１９を支軸として環状突起１９が形成された箇所に位置するスリーブ３の薄肉の胴部３０が径方向外方へ膨張変位し、これに伴い、スリーブ３の係合突出部３５及び大径部３３が形成された箇所の胴部３０も、リブ６を径方向外方に押し広げつつ、突条部１７により形成された空間ａに変位する。そして、図１０に示すように、係合突出部３５の内奥側の段差の部分とドレン排出口Ｄの突起Ｐが係合し、スリーブ３がドレン排出口Ｄ上に固着された状態で、ドレンホースＨとドレン排出口Ｄの接続が完了する。
【００２９】
接続完了後は、係合突出部３５の内奥側の段差の部分とドレン排出口Ｄの突起Ｐが係合し、そして、スリーブ３の係合突出部３５と薄肉の箇所の胴部３０がドレン排出口Ｄに挟着することにより、ドレン排出口Ｄからスリーブが抜け外れることなく、また、管本体１は多少の経時劣化を起こしてスリーブ３に対する弾性挟着力が減少しても、その突条部１７がスリーブ３の大径部３３と嵌合しているので、スリーブ３からの管本体１の抜け移動が阻止され、その結果ドレン排出口ＤからホースＨが濫りに抜け外れたりすることがない。また、管奥側のものを管端側のものよりも突出幅を大きく形成してある２箇所の環状突起１９ａが、ドレン排出口Ｄの先端側から奥側に向かって漸次径が大きくなる箇所の傾斜側面に沿って挟着するスリーブ３の薄肉の箇所の胴部３０に対して圧接することにより、ドレンホースＨとドレン排出口Ｄの接続部の止水性が担保されている。また、図１１に示すように、軸方向へ延びるリブ６の凹入底部とスリーブ３の大径部３３の外周面が密接しているので、ホースＨの周方向の回転を抑制してより安定した接続状態を実現している。
【００３０】
以上本発明の代表例と思われる実施例について説明したが、本発明は、上述の実施例にのみ限定されるものではなく、その他本発明にいう前記の構成要件を備え、かつ本発明にいう目的を達成し、本発明にいう効果を有する範囲内において適宜改変して実施することができるものである。
【産業上の利用可能性】
【００３１】
本発明のドレンホースは、スリーブの大径部を収容する管本体の突条部に耐変形性をもたせて、従来よりも品質を高め、市場においてより歓迎される商品となると思われる。また、その用途は、空調用装置のドレン排出用ホースに限らず、様々な機器のドレンホースに適用することができる。
【図面の簡単な説明】
【００３２】
【図１】第１実施例の接続後のホースの状態を示す上半部縦断正面図。
【図２】同スリーブを内装させる前の状態の要部を示す上半部縦断正面図。
【図３】同図２のホースの突条部側からの側面図。
【図４】同スリーブの斜視図。
【図５】同スリーブの大径部側の側面図。
【図６】同スリーブの小形変形作用を示す大径部側の側面図。
【図７】同スリーブの小形変形作用を示す大径部側の側面図。
【図８】同ドレン排出口へ接続前の状態の要部を示す上半部縦断正面図。
【図９】同ドレン排出口へ接続途中の状態の要部を示す上半部縦断正面図。
【図１０】同ドレン排出口へ接続後の状態の要部を示す上半部縦断正面図。
【図１１】図１０のＡ−Ａ線断面図。
【図１２】スリーブの小形変形作用を示す参考図。
【図１３】従来例のホースの要部の上半部縦断正面図。
【符号の説明】
【００３３】
１  管本体
１１  環状突条
１２  接続用筒状部
１３  筒状部
１４  開口端
１７  突条部
１８  突起
１９  環状突起
２  断熱層
２１  側縁部
２２  凹凸模様
２３  環状溝
３  スリーブ
３０  胴部
３１  内周面
３２  外周面
３２ａ  凹入部３４ａから繋がる外周面
３２ｂ  凹入部３４ａから繋がる外周面
３３  大径部
３４ａ  凹入部
３４ｂ  凹入部
３４ｃ  凹入部
３５  係合突出部
３６ａ  陥入部
３６ｂ  頂部
３６ｃ  頂部
６  リブ
ａ  空間
Ｄ  ドレン排出口
Ｐ  突起
【図１】
2006183696.tif 000003
【図２】
2006183696.tif 000004
【図３】
2006183696.tif 000005
【図４】
2006183696.tif 000006
【図５】
2006183696.tif 000007
【図６】
2006183696.tif 000008
【図７】
2006183696.tif 000009
【図８】
2006183696.tif 000010
【図９】
2006183696.tif 000011
【図１０】
2006183696.tif 000012
【図１１】
2006183696.tif 000013
【図１２】
2006183696.tif 000014
【図１３】
2006183696.tif 000015